(57)【要約】【課題】不純物の除去精度を向上させることのできる濾過膜、膜モジュールおよび水処理装置を得る。【解決手段】原水を濾過する複数の細孔３が設けられた中空糸膜（膜本体）１と、中空糸膜１の外表面（表面）８に予め付着させて積層させることにより、原水中の不純物を除去する粒子層と６を備えた濾過膜１０を用いる。【選択図】図３
2010214235.tif 000002
【特許請求の範囲】
【請求項１】
原水を濾過する複数の細孔が設けられた膜本体と、
前記膜本体の表面に予め付着させて積層させることにより、原水中の不純物を除去する粒子層と
を備えることを特徴とする濾過膜。
【請求項２】
前記粒子層は、
前記膜本体の表面に積層される第１の粒子層と、
当該第１の粒子層の表面に積層される第２の粒子層と
を備えることを特徴とする請求項１に記載の濾過膜。
【請求項３】
前記第１の粒子層はカーボン粒子で構成されるとともに、前記第２の粒子層はイオン交換樹脂で構成されていることを特徴とする請求項２に記載の濾過膜。
【請求項４】
請求項１〜３のうち何れか１項に記載の前記濾過膜を、吸入口および吐出口を有した容器の内部に収納させて一体化したことを特徴とする膜モジュール。
【請求項５】
原水を導入して少なくとも浄化した浄水を得る請求項４に記載の前記膜モジュールを用いたことを特徴とする水処理装置。
【請求項６】
導入された原水を前記膜モジュールの上流側から当該膜モジュールに導水可能な第１水路と、
前記第１水路に接続して設けられるとともに、導入された原水を前記膜モジュールの下流側から当該膜モジュールに導水可能な第２水路と、
前記第１水路と前記第２水路との分岐点に設けられて、当該第１水路および第２水路のいずれか一方に原水を導水させる水路切替手段と
を備えることを特徴とする請求項５に記載の水処理装置。
【請求項７】
前記膜モジュールの上流側には、前記水路切替手段により前記第２水路に原水を導水して前記膜モジュールを逆洗浄した際に、当該膜モジュールの濾過膜に付着した粒子を回収可能な粒子回収手段が設けられていることを特徴とする請求項６に記載の水処理装置。
【請求項８】
前記膜モジュールには、前記粒子層を通電可能な電極が設けられていることを特徴とする請求項５〜７のうち何れか１項に記載の水処理装置。
【発明の詳細な説明】
【技術分野】
【０００１】
本発明は、例えば水道水等の原水中に含まれた不純物を除去する濾過膜、膜モジュールおよび水処理装置に関する。
【背景技術】
【０００２】
従来の浄水構造として、比重の異なる活性炭を層状に充填して濾床を形成し、この濾床に原水を透過させることで、当該原水中に含まれた不純物を除去するようにしたものが知られている（例えば、特許文献１参照）。
【先行技術文献】
【特許文献】
【０００３】
【特許文献１】特開昭６０−０７１０８１号公報
【発明の概要】
【発明が解決しようとする課題】
【０００４】
しかしながら、上記従来技術のように、単に比重の異なる活性炭を層状に積層させる構成では、不純物の種類によっては活性炭に吸着されないものもあるため、不純物を除去する精度が低いという問題があった。
【０００５】
そこで、本発明は、不純物の除去精度を向上させることのできる濾過膜、膜モジュールおよび水処理装置を得ることを目的とする。
【課題を解決するための手段】
【０００６】
請求項１の発明にあっては、原水を濾過する複数の細孔が設けられた膜本体と、前記膜本体の表面に予め付着させて積層させることにより、原水中の不純物を除去する粒子層とを備えることを特徴とする。
【０００７】
請求項２の発明にあっては、前記粒子層は、前記膜本体の表面に積層される第１の粒子層と、当該第１の粒子層の表面に積層される第２の粒子層とを備えることを特徴とする。
【０００８】
請求項３の発明にあっては、前記第１の粒子層はカーボン粒子で構成されるとともに、前記第２の粒子層はイオン交換樹脂で構成されていることを特徴とする。
【０００９】
請求項４の発明にあっては、請求項１〜３のうち何れか１項に記載の前記濾過膜を、吸入口および吐出口を有した容器の内部に収納させて一体化したことを特徴とする膜モジュールである。
【００１０】
請求項５の発明にあっては、原水を導入して少なくとも浄化した浄水を得る請求項４に記載の前記膜モジュールを用いたことを特徴とする水処理装置である。
【００１１】
請求項６の発明にあっては、導入された原水を前記膜モジュールの上流側から当該膜モジュールに導水可能な第１水路と、前記第１水路に接続して設けられるとともに、導入された原水を前記膜モジュールの下流側から当該膜モジュールに導水可能な第２水路と、前記第１水路と前記第２水路との分岐点に設けられて、当該第１水路および第２水路のいずれか一方に原水を導水させる水路切替手段とを備えることを特徴とする請求項５に記載の水処理装置である。
【００１２】
請求項７の発明にあっては、前記膜モジュールの上流側には、前記水路切替手段により前記第２水路に原水を導水して前記膜モジュールを逆洗浄した際に、当該膜モジュールの濾過膜に付着した粒子を回収可能な粒子回収手段が設けられていることを特徴とする請求項６に記載の水処理装置である。
【００１３】
請求項８の発明にあっては、前記膜モジュールには、前記粒子層を通電可能な電極が設けられていることを特徴とする請求項５〜７のうち何れか１項に記載の水処理装置である。
【発明の効果】
【００１４】
請求項１の発明によれば、複数の細孔が設けられた膜本体と前記膜本体の表面に予め付着させて積層させることにより、原水中の不純物を除去する粒子層とを備えた濾過膜を用いることで、粒子層で不純物を吸着することができる上、膜本体で不純物を濾過することができるようになるため、不純物の除去精度を向上させることができる。
【００１５】
請求項２の発明によれば、粒子層は膜本体の表面に積層される第１の粒子層と当該第１の粒子層の表面に積層される第２の粒子層とを備えるため、不純物のターゲットに応じて粒子層を異ならせることで原水中に含まれる様々な種類の不純物を除去することが可能な多機能膜とすることができる。
【００１６】
請求項３の発明によれば、第１の粒子層はカーボン粒子で構成されるとともに、第２の粒子層はイオン交換樹脂で構成されているため、原水中に含まれた重金属イオンを確実に除去することができる。
【００１７】
請求項４の発明によれば、上記作用効果を奏する膜モジュールを得ることができるとともに、モジュール化することで濾過膜の点検や交換を容易に行うことができる。
【００１８】
請求項５の発明によれば、上記作用効果を奏する膜モジュールを用いた水処理装置を得ることができる。
【００１９】
請求項６の発明によれば、膜モジュールを逆洗浄する構成の水処理装置を容易に得ることができるとともに、膜モジュールを逆洗浄することで不純物が付着した濾過膜を再使用することができ、膜モジュールの長寿命化を図ることができる。
【００２０】
請求項７の発明によれば、粒子回収手段により膜モジュールの濾過膜に付着された粒子を回収できるため、当該粒子を再利用して水処理装置のコストを低減させることができる。
【００２１】
請求項８の発明によれば、膜モジュールには粒子層を通電可能な電極が設けられているため、特に粒子層に帯電させたイオン交換樹脂を用いた場合には、当該イオン交換樹脂が不純物の吸着に伴い失った電荷を補うことができるため、不純物の除去精度ならびに膜モジュールの性能を向上することができる。
【図面の簡単な説明】
【００２２】
【図１】本発明の第１実施形態にかかる水処理装置を示した図である。
【図２】本発明の第１実施形態にかかる膜モジュールを示した図である。
【図３】本発明の第１実施形態にかかる濾過膜を示した模式図であり、（ａ）は膜本体の表面に粒子層を積層させた状態を示した図、（ｂ）は原水を濾過膜で濾過する通常時を示した図、（ｃ）は膜モジュールの下流側から水を逆流させて濾過膜の洗浄を行う逆洗浄時を示した図である。
【図４】本発明の第２実施形態にかかる水処置装置を示した図である。
【発明を実施するための形態】
【００２３】
以下、本発明の実施形態について図面を参照しながら詳細に説明する。なお、以下の複数の実施形態には、同様の構成要素が含まれている。よって、以下では、それら同様の構成要素には共通の符号を付与するとともに、重複する説明を省略する。
【００２４】
［第１実施形態］
図１〜図３は本発明の第１実施形態を示した図であり、図１は水処理装置を示した構成図、図２は膜モジュールを示した図、図３は濾過膜を示した模式図であり、（ａ）は膜本体の表面に粒子層を積層させた状態を示した図、（ｂ）は原水を濾過膜で濾過する通常時を示した図、（ｃ）は膜モジュールの下流側から水を逆流させて濾過膜の洗浄を行う逆洗浄時を示した図である。
【００２５】
まずは、図１を参照して本実施形態にかかる水処理装置の概略構成について説明する。
【００２６】
本実施形態の水処理装置１００は、図示しない導水ポンプによって導かれた原水を一時貯水する原水槽２１と、原水槽２１内の原水を膜モジュール２０に供給する原水ポンプ２２と、原水ポンプ２２によって導かれた原水を濾過する膜モジュール２０と、膜モジュール２０で濾過した処理水を貯水する処理水槽２３とを備えており、これらの部材が水路２５によって接続されている。なお、図中Ｖ１〜Ｖ４は各水路２５に設けられたバルブであり、図示せぬ制御部に接続されている。
【００２７】
この水路２５は、原水槽２１内の原水を膜モジュール２０で濾過する通常時に、原水槽２１から原水ポンプ２２を介して膜モジュール２０の上流側から当該膜モジュール２０に導水可能な第１水路２５ａと、この第１水路２５ａに接続して設けられるとともに、原水を原水ポンプ２２を介して膜モジュール２０の下流側から当該膜モジュール２０に導水可能な第２水路２５ｂとを備えている。
【００２８】
かかる構成の本実施形態の水処理装置１００では、通常時には第１水路２５ａと第２水路２５ｂとの分岐点に設けられたバルブＶ２の第１水路２５ａ側を開け、原水ポンプ２２の加圧によって原水がバルブＶ３を介して膜モジュール２０の吸入口１２に導入される。そして、膜モジュール２０の濾過膜１０で原水が濾過され、濾過された処理水が膜モジュール２０の吐出口１３からバルブＶ４を介して処理水槽２３に送られる。
【００２９】
そして、予め設定された周期などによって、原水を膜モジュール２０の下流側から逆流させて濾過膜１０の洗浄を行う。
【００３０】
濾過膜１０の逆洗浄時には、第１水路２５ａと第２水路２５ｂとの分岐点に設けられたバルブＶ２の第２水路２５ｂ側を開け、原水ポンプ２２の加圧によって原水がバルブＶ４を介しての膜モジュール２０の吐出口１３に導入される。そして、膜モジュール２０の濾過膜１０が原水で洗浄され、洗浄された排水が膜モジュール２０の吸入口１２からバルブＶ３を介して排出される。
【００３１】
すなわち、本実施形態では、第１水路２５ａと第２水路２５ｂとの分岐点に設けられたバルブＶ２が水路切替手段として機能することとなり、図示せぬ制御部からの信号を受けて原水を濾過する通常時と濾過膜１０を洗浄する逆洗浄時とで、第１水路２５ａと第２水路２５ｂに対する水路２５の切替を行っている。
【００３２】
また、本実施形態では、膜モジュール２０の上流側には、詳細を後述する濾過膜１０に積層された粒子を回収する粒子回収手段３０が設けられており、前述したバルブＶ２によって濾過膜１０が逆洗浄された排水は、この粒子回収手段３０に送られるようになっている。粒子回収手段３０は、濾過膜１０に積層されていた粒子と排水に含まれた不純物とを分離して粒子を回収し、当該回収した粒子を第３水路２５ｃを介してバルブＶ１に送り、膜モジュール２０の濾過膜１０に再度積層させて利用することができるようになっている。
【００３３】
なお、粒子回収手段３０による粒子の回収方法としては、積層される粒子の種類や水質によって、例えば粒子径に適したフィルター、比重差による分離、電気的分離、電磁石による回収など適宜に変更することが可能である。また、濾過膜１０を逆洗浄する回数や予め設定された周期などによって劣化した粒子は回収せず排水して、新しい粒子を積層させるようにしてもよい。
【００３４】
以上のように、本実施形態の水処理装置１００では、原水を膜モジュール２０の上流側から導水可能な第１水路２５ａと、膜モジュール２０の下流側から導水可能な第２水路２５ｂと、第１水路２５ａと第２水路２５ｂとの分岐点に設けられて、当該第１水路２５ａおよび第２水路２５ｂのいずれか一方に原水を導水させる水路切替手段としてのバルブＶ２とを備える構成であるため、膜モジュール２０を逆洗浄する構成の水処理装置１００を容易に得ることができる。
【００３５】
また、本実施形態では、粒子回収手段３０により膜モジュール２０の濾過膜１０に付着された粒子を回収できるため、当該粒子を再利用して水処理装置１００のコストを低減させることができるという利点もある。
【００３６】
なお、本実施形態では、濾過膜１０の逆洗浄時に原水を利用して逆洗浄を行う構成としたが、例えば処理水槽２３に貯留された処理水や、洗浄用の浄化水を用いて逆洗浄を行う構成としてもよい。
【００３７】
次に、図２、図３を参照して本実施形態にかかる膜モジュール２０について詳しく説明する。
【００３８】
本実施形態の膜モジュール２０は、原水を濾過する濾過膜１０と、吸入口１２および吐出口１３を有して濾過膜１０を内部に収容させた円筒状のケーシング（容器）１８とを備えている。
【００３９】
濾過膜１０は、原水を濾過する複数の細孔３が設けられた膜本体を備えていて、本実施形態では、この膜本体として細いストロー状の中空糸膜１を用いており、この中空糸膜１が多数束ねられて略Ｕ字状に湾曲させた状態で収容されている。ケーシング１８の吸入口１２から中空糸膜１の膜壁７を通過して膜内に透過した原水は、膜内を通って集水部１５に流出し、吐出口１３からバルブＶ４を介して処理水槽２３に送られる。原水が中空糸膜１の膜壁７を通過する際に、原水に含まれる不純物が濾過されるものである。
【００４０】
ここで、本実施形態では、この中空糸膜１の膜壁７の外表面（表面）８に、原水中の不純物を除去する粒子層６を予め付着させて積層させることにより濾過膜１０を構成している。
【００４１】
具体的には、図３（ａ）に示すように、濾過膜１０の粒子層６は、中空糸膜１の外表面８に細孔３よりも粒径の大きなカーボン粒子を積層して形成したカーボン粒子層４（第１の粒子層）と、当該カーボン粒子層４の表面に、例えばＮａ等のアルカリ金属形交換基を有する陽イオン交換樹脂の粒子を積層して形成したイオン交換樹脂層５（第２の粒子層）とを備えて構成されている。
【００４２】
本実施形態では、複数の細孔３が設けられた膜本体としての中空糸膜１に当該細孔３よりも粒径の大きいカーボン粒子が入った溶液を通水することでカーボン粒子を中空糸膜１上に積層してカーボン粒子層４を形成し、その後、カーボン粒子よりも粒径の小さい陽イオン交換樹脂の粒子を混合した溶液を通水することで陽イオン交換樹脂の粒子をカーボン粒子層４上に積層してイオン交換樹脂層５を形成している。
【００４３】
このように、中空糸膜１上にカーボン粒子を積層するとともに、カーボン粒子層４上に陽イオン交換樹脂の粒子を積層することで、中空糸膜１の細孔３よりも小さい細孔を有する濾過膜１０を形成している。なお、この濾過膜１０の細孔径は、積層する粒子サイズや、積層する厚みを制御することにより適宜に設定することが可能である。
【００４４】
かかる構成の濾過膜１０を用いて原水を濾過すると、図３（ｂ）に示すように、原水中に存在する藻類やコロイダルに集合した性状をした有機物９を濾過できるだけでなく、通常の中空糸膜１では濾過されなかった中空糸膜１の細孔３よりも小さい汚れも濾過できるようになる。さらに、活性炭に吸着されない鉛などの溶解性の重金属イオン１１については、原水がイオン交換樹脂層５を通過する際に原水とイオン交換樹脂層５との間でイオン交換を行い、ナトリウムイオンを重金属イオン１１に置き換えることで捕捉することができる。すなわち、イオン交換樹脂層５を形成することで原水中に溶解している重金属イオン１１を除去することができる。
【００４５】
そして、上述したように、予め設定された周期などによって、膜モジュール２０の下流側から原水を逆流させて濾過膜１０の洗浄を行うと、図３（ｃ）に示すように、濾過膜１０に積層されていたカーボン粒子および陽イオン交換樹脂の粒子が濾過膜１０から剥離するとともに、濾過膜１０によって捕捉していた不純物がカーボン粒子および陽イオン交換樹脂の粒子から分離する。そして、粒子回収手段３０（図１参照）によってカーボン粒子および陽イオン交換樹脂の粒子と排水に含まれた不純物とを分離して、カーボン粒子および陽イオン交換樹脂膜の粒子を回収し、当該回収したカーボン粒子および陽イオン交換樹脂の粒子をバルブＶ１に送り、膜モジュール２０の中空糸膜１に再度積層させて利用することができるようになっている。このとき、陽イオン交換樹脂の粒子を食塩水等の塩溶液に通水させて再生し、陽イオン交換樹脂として再利用できるようにするのが好適である。
【００４６】
以上、詳細に説明してきたように、本実施形態では、原水を濾過する複数の細孔３が設けられた中空糸膜（膜本体）１と、中空糸膜１の外表面８に予め付着させて積層させることにより、原水中の不純物を除去する粒子層６とを備えた濾過膜１０を用いて膜モジュール２０を構成している。そのため、中空糸膜１に積層された粒子層６で原水中の不純物を吸着することができる上、中空糸膜１で不純物を濾過することができるようになるため、不純物の除去精度を向上させることができる。
【００４７】
また、粒子層６を中空糸膜１の外表面８に積層させるだけなので、不純物の除去精度を向上させることのできる濾過膜１０を容易に得ることができる。
【００４８】
また、濾過膜１０の粒子層６は、中空糸膜１の外表面８に積層される第１の粒子層４と当該第１の粒子層４の表面に積層される第２の粒子層５とを備えるため、不純物のターゲットに応じて粒子層を異ならせることで原水中に含まれる様々な種類の不純物を除去することが可能な多機能膜とすることができ、本実施形態では、第１の粒子層４はカーボン粒子で構成されるとともに、第２の粒子層５はイオン交換樹脂で構成されているため、原水中に含まれた重金属イオン１１を確実に除去することができる。
【００４９】
また、本実施形態では、このような濾過膜１０をケーシング（容器）１８の内部に収納させて一体化することで膜モジュール２０を構成しているため、濾過膜１０の点検や交換を容易に行うことができるとともに、濾過膜１０に粒子層６を容易に積層させることができるという利点もある。
【００５０】
なお、本実施形態では、濾過膜１０の膜本体として細いストロー状の中空糸膜１を用いたが、これに限定されず、例えばスパイラル膜やチューブラー膜、平膜を用いてもよい。そして、これらの膜の種類としては、ＭＦ膜（精密濾過膜）やＵＦ膜（限外濾過膜）、ＮＦ膜を用いることが可能である。
【００５１】
［第２実施形態］
次に、本発明の第２実施形態について図面を参照して説明する。図４は本実施形態にかかる水処置装置を示した図である。
【００５２】
本実施形態にかかる水処理装置１００Ａは、上記第１実施形態にかかる水処理装置１００に対して、膜モジュール４０が異なっている。
【００５３】
具体的には、本実施形態では、濾過膜１０を構成するイオン交換樹脂層の替わりに、イオン交換樹脂をマイナスに帯電させて形成したイオン性樹脂をカーボン粒子層４の表面に積層させてイオン性樹脂層とするとともに、濾過膜１０の上流側と下流側に電極１７、１８を設け、電源装置５０によってイオン性樹脂層が連続または断続的に通電されるようにした。
【００５４】
水中の汚れや水中に溶解している重金属イオン１１は、基本的にプラスに帯電しているため、この濾過膜１０を用いた場合、これらの汚れや重金属イオン１１がマイナスに帯電しているイオン性樹脂に引きつけられ、このイオン性樹脂に吸着されることで除去される。ただし、汚れや重金属イオン１１の吸着が進むと、重金属イオン１１とイオン性樹脂との間で電荷の移動が行われてイオン性樹脂層の総電荷量が減少していき、やがて、飽和状態となって電荷を帯びていない状態になってしまう。このように、イオン性樹脂による重金属イオン１１の除去能力は水を濾過するにつれて徐々に低下していくが、本実施形態では、電源装置５０によってイオン性樹脂層を通電し、当該イオン性樹脂層に電荷を供給できるようにすることで、再びイオン性樹脂層をマイナスに帯電させて再利用できるようにしている。
【００５５】
したがって、本実施形態では、濾過膜１０が物理的に閉塞してしまうまで、水中の重金属イオン１１の除去が可能となる。
【００５６】
また、電極１７、１８のプラスとマイナスを反転させた状態でイオン性樹脂層を通電できるようにし、例えば、濾過膜１０が物理的に閉塞した場合に、イオン性樹脂層をプラスに帯電させるようにすれば、プラスに帯電したもの同士の反発力によって重金属イオン１１とイオン性樹脂とを剥離させることができるようになる。
【００５７】
さらに、本実施形態においても、上記第１実施形態と同様に水路切替手段（バルブＶ２）を設けているため、濾過膜１０の逆洗浄を行う際に、電極１７、１８のプラスとマイナスを反転させた状態でイオン性樹脂層を通電させれば、逆洗浄による物理的な洗浄に加えて電気反発力による洗浄も行うことができ、より効果的に、濾過膜１０の洗浄を行うことができる。
【００５８】
また、濾過膜１０に積層された粒子を回収する粒子回収手段３０も設けられており、逆洗浄された排水を粒子回収手段３０に送り、濾過膜１０に積層されていた粒子と排水に含まれた不純物とを分離して粒子を回収し、当該回収した粒子を濾過膜１０に再度積層させて利用することができる。
【００５９】
したがって、本実施形態の濾過膜１０によっても、上記第１実施形態と同様の作用効果を奏することができる。
【００６０】
以上、本発明の好適な実施形態について説明したが、本発明は上記実施形態には限定されず、種々の変形が可能である。例えば、上記実施形態では、粒子層として、重金属イオンを除去する陽イオン交換樹脂を例示したが、この粒子層は、除去しようとする物質に応じて適宜変更することが可能であり、例えば、陰イオン交換樹脂を積層することで、アンモニウムイオン等、陰イオン性の物質を除去するようにしてもよいし、シリカ粒子を積層することで、シリカコロイドを除去するようにしてもよい。また、上記実施形態では、粒子を混合した溶液を通水させることで当該粒子を中空糸膜（膜本体）に積層させているが、重力や圧力を利用して積層させたり、電気化学的に積層させたりすることも可能である。
【符号の説明】
【００６１】
１  中空糸膜（膜本体）
３  細孔
４  カーボン粒子層
５  イオン交換樹脂層
６  粒子層
１０  濾過膜
２５ａ  第１水路
２５ｂ  第２水路
１００  水処理装置
Ｖ１  バルブ（水路切替手段）
【図１】
2010214235.tif 000003
【図２】
2010214235.tif 000004
【図３】
2010214235.tif 000005
【図４】
2010214235.tif 000006